(57)【要約】【課題】  腰を伸縮させる腰伸縮装置を提供する。【解決手段】  腰を伸縮させる腰伸縮装置において、腰痛横たわるベッド部１０４と、ベッド部１０４端部に手で握るための掴み部１０５と、ベッド部１０４に傾斜を持たせて固定する装置台とを備えた。また手で掴み部１０５を握った際、使用者１０の足裏が底面に、或いは足のつま先が壁面に着く。【選択図】  図１
0003115517.tif 000002
【実用新案登録請求の範囲】
【請求項１】
腰を伸縮させる腰伸縮装置において、使用者が横たわるベッド部と、前記ベッド部端部に手で握るための掴み部と、前記ベッド部に傾斜を持たせて固定する装置台とを備えることを特徴とする腰伸縮装置。
【請求項２】
手で前記掴み部を握った際、前記使用者の足裏が底面に、或いは足のつま先が壁面に着くことを特徴とする請求項１記載の腰伸縮装置。
【考案の詳細な説明】
【技術分野】
【０００１】  本考案は、容易に腰痛を治療する椅子型或いはベッド型治療装置に関する。
【背景技術】
【０００２】  腰痛は、一般には姿勢の悪さや激しい労働や運動、老化が原因で背骨に異常が生じたために起こる。その他にも、内臓の病気、あるいは精神的ストレスによって起こることもある。慢性腰痛症に対する治療の１つに腰痛体操がある。この体操は古くから腹筋力の強化が重要な要素とされてきた。その論拠の１つは腹圧を上昇させ、脊柱にかかる負担を軽減させようとするものである。しかし、慢性腰痛症の患者は腹圧をかけるような動作では無く、中腰や座位そして立位のような（腹筋が収縮していない）状態で疼痛を訴える患者が多くみられる。【０００３】  そこで、全身腰伸ばし治療機として、顎等の体の一部を固定して、体軸方向に伸ばす治療機が開示されている。この治療機は、上半身と下半身のモータにより上下往復運動させ、脚部、腰部、背部を屈伸させ、全身をもみほぐす。（例えば、特許文献１）
【特許文献１】  特開平０６−０４７０６８
【考案の開示】
【考案が解決しようとする課題】
【０００４】  しかしながら、このような腰痛を治す従来の治療機は、全身の一部を固定して、機械の動力を用いて全身を伸ばしていたため、少々体に負担がかかっていた。この公知例には、自重を利用して腰痛を改善させることは言及されていない。本考案の目的は、無理なく主に腰部を伸ばす椅子型或いはベッド型治療機を提供することにある。
【課題を解決するための手段】
【０００５】  上記目的を達成させるため、本考案では、腰を伸縮させる腰伸縮装置において、腰痛横たわるベッド部と、前記ベッド部端部に手で握るための掴み部と、前記ベッド部に傾斜を持たせて固定する装置台とを備えた。また、手で前記掴み部を握った際、前記使用者の足裏が底面に、或いは足のつま先が壁面に着く。
【考案の効果】
【０００６】  本考案では、体重の掛け具合を調整することにより、効果的に腰を伸ばすことができる。
【考案を実施するための最良の形態】
【０００７】  本願考案の第１の実施形態を図１から図３を用いて説明する。図１に装置構成を示す。平面板或いはフレームからなる装置台１０１に２本の支柱１０２が立てられている。２本の支柱１０２には、それぞれ同じ高さに対になって留め具１０３が設置されている。また、この１対の支柱１０２に対して、留め具１０３はそれぞれ同一方向に設置されている。【０００８】  ベッド部１０４は、手で体重を支える掴み部１０５と、留め具１０３に固定するための固定具１０６とが設置されている。ベッド部１０４の底面すなわち装置台１０１と接する面では、ゴムや波型で構成された滑り止めが施されている。掴み部１０５は手の体軸方向に沿って設置されている。そして、手で掴み部１０５を持ち体重を支える。なお詳細は後述する。【０００９】  ベッド部１０４の所望の傾斜度合いに応じて、固定具１０６を留め具１０３に掛ける位置を調整する。例えば、傾斜を低くしたい場合、留め具１０３の下側に固定具１０６を掛ければよい。この調整により、体重による引張り力を発散させることができ、軽度に腰を伸ばすことができる。傾斜を高くしたい場合、留め具１０３の上側に固定具１０６を掛ければよい。この調整により、体重による引張り力を集中させることができ、重度に腰を伸ばすことができる。【００１０】  なお、図１に示す留め具は３つであるが、この数に限定することなく、いくつでもよい。また、固定具１０６をスライドさせる機構を設け、ベッド部１０４をスライドさせて角度を調整してもよい。【００１１】  図２に具体的な使用図を示す。図２（ａ）に正面図、図２（ｂ）に側面図を示す。図２（ａ）に示されるように、使用者１０は掴み部１０５にぶら下がり、ベッド部１０４に横たわる。【００１２】  図２（ｂ）に示されるように、ベッド部１０４の下側は装置台１０１に斜めに設置され、使用者１０は装置台１０１若しくは地面に足を固定する。使用者１０の足裏が底面に接した状態で足を屈伸運動させることにより、腰の伸ばし加減を調整することができる。足を曲げることにより、腰の位置が下に落ち、体重を最大限利用して腰を伸ばすことができる。逆に足を伸ばすことにより、腰の位置が上がり、足で体重を支えることになり、軽度に腰を伸ばすことができる。さらに、この屈伸運動を繰り返し、強弱をつけることにより効果的に腰を伸ばすことができる。【００１３】  このように、ベッド部１０４から使用者１０の足がはみ出るように構成することにより、屈伸運動を利用することを実現させることができた。またこの装置は、全身伸ばすように構成されているため、腰痛だけではなく、肩こりにも効果がある。【００１４】  なお、固定部１０６を留め具１０３の上側に固定したり、長軸方向に長いベッド部１０４を用いて使用者１０が足の着かない状態にしたりしてもよい。これは掴み部１０５からベッド部１０４の端部まで長さが、使用者１０の手先から足までの長さより長ければ達成される。また掴み部１０５は、肩の後ろに設置されているように図示しているが、頭の真上に設置させてもよい。【００１５】  図３に椅子部１０７を取り付けた例を示す。固定部１０６を留め具１０３の上側に固定し、ベッド部１０４を垂直に設置させる。そして椅子部１０７を装置台１０１に設置させる。手摺部１０８は椅子部１０７の両サイドに設置されている。使用者１０は、椅子部１０７に座り、掴み部１０５を掴む。掴み部１０５を掴むと尻が浮いた状態となり、体重で腰が伸びた状態となる。図１及び図２と異な流点は、使用者１０の手が疲れた場合、椅子に座ることができる点である。また、立ち上がる時に容易に立ち上がることができる。【００１６】  次に本願考案の第１の実施形態を使用する際の手順を説明する。使用者１０はベッド部１０４を所望の角度になるよう設置する。（ステップ１）使用者１０は掴み部１０５に掴まり体を固定する。（ステップ２）使用者１０は屈伸運動させ、腰伸ばしの強さの加減を調整する。（ステップ３）【００１７】  次に本願考案の第２の実施形態を図４から図８を用いて説明する。図４に装置の構成図を示す。装置台２０１に支柱２０２が設置されている。そして、使用者１０が横たわるベッド部２０３と支柱２０２の間には回転部２０４が設置されており、ベッド部２０３の角度を調整する。棒部２０５には使用者１０が掴まるための掴み部２０６が設置されており、凹凸のあるゴム或いはマジックテープからなる滑り止め部２０７が設置されている。【００１８】  第１の実施形態と異なる点は、ベッド部２０３の傾きを回転部２０４で調整するところにある。回転部２０４は回転電動モータ或いは手動で角度を調整するためのハンドルとストッパが設置されている。（いずれも図示しない。）回転部２０４をハンドルで操作する場合、使用者１０の他に別の操作者が必要となる。使用者１０が横たわる際、滑り止め部２０７が腰より上側の上半身に設置されるよう固定する。体重を支えるため掴み部２０６に手を支える。なお、ベッド部２０３に使用者１０の腰を中心にしてブリッジに変形する機構を設けてもよい。【００１９】  腰痛は、腹筋と背筋を鍛えないとなりやすいため、腹筋を鍛えられるようにも構成されている。重度の腰痛でない場合であり、腹筋を鍛える時、掴み部２０６に掴まった状態で行なう。また、背筋を鍛える時、腹筋と鍛える時と体を上下反転させ、掴み部２０６に足を掛けた状態で行なう。背筋を鍛える場合、掴み部２０６に足のふくらはぎを掛ける。腹筋を鍛える場合、掴み部２０６に足の甲を掛ける。【００２０】  図５、図６に回転部２０４によりベッド部２０３の角度を回転させた図を示す。図５は側面図であり、図６は正面図である。第１の実施形態と同様に使用者１０は、腰が伸びた状態となるが、この際、掴み部２０６と滑り止め部２０７とで体重を支える。腰から上側は滑り止め部２０７で固定され、足部のベッド部２０３に比較的滑りやすい材料を設置させておく。【００２１】  なお、第１の実施形態と同様に使用者１０は地面或いは装置台２０１に足を着いて、使用者１０の足裏が底面に接した状態で屈伸運動をさせてもよい。また、掴み部２０５をベッド部２０４のサイドに設置させてもよい。また腰にひねりを入れることができるように、滑り止め部２０７と滑り部の間に体軸回転部を設置させてもよい。これにより、さらに効果的に腰を伸ばすことができる。また、滑り止め部２０７を第１の実施形態に適用させてもよい。【００２２】  図７に椅子型の図を示す。ベッド型と異なる���は、伸縮部２０８と第２の回転部２０９を設けた点である。伸縮部２０８の機構は電動モータ、又は機械的に動く装置からなる。（図示しない。）使用者１０が掴み部２０６に掴まった状態で伸縮部２０８を上下させることにより、腰を上下に持ち上げることができる。【００２３】  図８はこの装置のシステム構成図を示す。この装置のシステムは、ベッド部２０３の傾きを換えるベッド傾き回転部３０１と、ベッド部２０３を伸縮するベッド伸縮部３０２と、ベッド傾き回転部３０１とベッド伸縮部３０２を制御する制御部３０３、と制御部３０３に指令を出す操作卓３０４（例えばキーボード）と、操作卓３０４と制御部３０３の信号を画像として表示する表示部３０５を備えている。【００２４】  操作部３０４の指令により、制御部３０３はベッド部２０３の傾きを回転させたり、ベッド部２０３を伸縮させたりする。表示部３０５には、ベッド部２０３の傾き、所要時間を表示させる。操作部３０４にタイマーを設置させておき、時間をおいて、ベッド部２０３を回転させたり、伸縮させたりすることができる。【００２５】  第３の実施形態を図９を用いて説明する。上記実施形態と異なる点は、椅子の部分である。図９（ａ）の状態から回転部４０１が回転支持部４０２を中心にして９０度回転される。そして図９（ｂ）の状態になる。回転部４０１が底面と接し、板が底面から上方向へ突き出た形（壁面を有する。）となる。この状態で椅子部４０３に使用者１０が腰掛ける。そして、使用者は掴み部１０５（図示しない。）を手で握り、足のつま先を回転部４０１の板の壁面に押さえつける。使用者１０の腰はベッド部１０４に支えられ、固定される。使用者１０の足裏が底面に接した状態で、足のつま先が壁面に着いた状態で使用者１０の足を屈伸することにより腰への負担の調整が可能となる。つまり、掴み部１０５を握ったまま、回転部４０１の突起部を使用者１０の足の支えとして、踏ん張りを利かせることにより、腰と足に効果的な治療ができる。使用者１０の使用が終わったら、回転部４０１を元の状態図９（ａ）の状態にする。なお、図９（ａ）の状態で回転部４０１に使用者１０が腰掛けて、掴み部１０５を握り、体を固定してもよい。【００２６】第４の実施形態を図１０〜図１３を用いて説明する。上記実施形態と異なる点は、掴み部１０５の形態である。図１０は掴み部を複数配置させた形態である。ベッド部１０４の上端部には、ベッド部１０４に対して或る傾斜角度を有する支柱１０５０が２つ備えられており、支柱１０５０にはそれぞれ複数の掴み部１０５１が備えられている。ベッド部１０４に対して或る傾斜角度を有して支柱１０５０を配置させているため、図１０（ｂ）に示すように、どの位置の掴み部１０５１を握っても、腕に掴み部１０５１が当たらないような形態になっている。この実施形態では掴み部１０５１が３つ備えられている。使用者１０は最も自分に合った掴み部１０５１を選んで握る。使用者１０は掴み部１０５１を握った状態でベッド部１０４に寄りかかり、ぶら下がる。【００２７】  このように掴み部１０５１を選択することにより、腰を浮かせた状態にしたり、椅子４０３に座らせた状態にしたりすることができる。よって、腰を最大限に伸ばし��い場合、足のつま先を回転部４０１の板の壁面に固定して運動したい場合等用途に応じて使用者１０は掴み部１０５１を選ぶことができる。よって、使用者１０の身長等によって掴み部の位置を調整する調整器具を別途用いなくても、適した治療を行なうことができる。【００２８】  また、支柱１０５０とベッド部１０４の間には、支柱１０５０の角度は矢印方向に調整できる機構になっており、用途に応じて角度を変える。支柱１０５０の角度をベッド部１０４の長手方向に対して、傾きを大きくすると、掴み部１０５１の位置が下がり、腕の間が広くなる。よって、腕も効果的に鍛えることができる。【００２９】  図１１は、掴み部を複数段違いに配置させた形態である。ベッド部１０４の上端部には、ベッド部１０４に対して或る傾斜角度を有する支柱１０５０が２つ備えられており、掴み部１０５２、掴み部１０５３が、それぞれの２つの支柱に繋がって備えられている。使用者１０は最も自分に合った掴み部の中央付近を選んで握る。使用者１０は掴み部を握った状態でベッド部１０４に寄りかかり、ぶら下がる。【００３０】  図１２は、１つの掴み部で掴み位置を調整することにより、高さを調整できる形態である。図１２（ａ）に側面図、図１２（ｂ）に上面図を示す。ベッド部１０４の上端部には、ベッド部１０４に対して或る傾斜角度を有する支柱１０５０が２つ備えられており、２つの支柱１０５０には、それぞれ１組の掴み部１０５５が備えられている。使用者１０は最も自分に合った掴み部を選んで握る。使用者１０は掴み部を握った状態でベッド部１０４に寄りかかり、ぶら下がる。掴み部１０５５の幅を変えたい場合、支柱１０５０と掴み部１０５５との間の回転軸を中心に掴み部１０５５を回転させることにより、幅を調整することができる。【００３１】  図１３は、掴み部を複数段違いに配置させ、使用したい部分だけを折りたたむ機構を有した形態である。ベッド部１０４の上端部には、ベッド部１０４に対して或る傾斜角度を有する支柱１３０が２つ備えられており、２つの支柱１０５０には、それぞれ複数の掴み部が備えられている。支柱１３０と掴み部の間には、それぞれ回転部が備えられており、支柱１３０を軸に掴み部が９０度回転する。使用者１０は最も自分に合った掴み部、例えば掴み部１３１と、掴み部１３１と同じ高さの掴み部１３２を回転させて固定する。使用者１０は掴み部を握った状態でベッド部１０４に寄りかかり、ぶら下がる。【００３２】  図１４は椅子の高さを調整する形態である。２つの支柱１４０には複数の固定支持部１４１が備えられている。使用者が座る板１４２を任意に支柱１４０に乗せることにより、椅子の高さを調整することができる。椅子の高さを調整することにより、腰に与える負担を調整することができる。【００３３】  以上、複数の実施形態を説明してきたが、上記複数の実施形態を組み合わせて使用してもよい。例えば、掴み部の形態図１２と椅子の形態図１４の形態を組み合わせて実施することができる。
【図面の簡単な説明】
【００３４】
【図１】本考案の第１実施形態を示す図である。
【図２】本考案の第１実施形態の使用図を示す図である。
【図３】本考案の第１実施形態の具体例を示す図である。
【図４】本考案の第２実施形態を示す図である。
【図５】本考案の第２実施形態の側面を示す図である。
【図６】本考案の第２実施形態の正面を示す図である。
【図７】本考案の第２実施形態を示す図である。
【図８】本考案の第２実施形態のシステム構成図を示す図である。
【図９】本考案の第３の実施形態を示す図である。
【図１０】本考案の第４の実施形態の一例を示す図である。
【図１１】本考案の第４の実施形態の一例を示す図である。
【図１２】本考案の第４の実施形態の一例を示す図である。
【図１３】本考案の第４の実施形態の一例を示す図である。
【図１４】本考案の椅子調整部を示す図である。
【符号の説明】
１０  使用者、１０１  装置台、１０２  支柱、１０３  留め具、１０４  ベッド部、１０５  掴み部、１０６  固定部、１０５０  支柱、１０５１  掴み部
【図１】
0003115517.tif 000003
【図２】
0003115517.tif 000004
【図３】
0003115517.tif 000005
【図４】
0003115517.tif 000006
【図５】
0003115517.tif 000007
【図６】
0003115517.tif 000008
【図７】
0003115517.tif 000009
【図８】
0003115517.tif 000010
【図９】
0003115517.tif 000011
【図１０】
0003115517.tif 000012
【図１０】
0003115517.tif 000013
【図１１】
0003115517.tif 000014
【図１２】
0003115517.tif 000015
【図１３】
0003115517.tif 000016
【図１４】
0003115517.tif 000017